(57)【要約】衣服、かばん部材、個人のアクセサリなどに組み込まれて好適なポケットが、活性メカニズムと、ポケットを閉じるための制御装置とを備えている。このような閉じる行為は、手動で引き起こされてもよいが、まっすぐな方向から動く場合、又は揺れる行為の経験する場合には自動的に引き起こされ得る。一態様では、閉じる行為は、加熱すると収縮する形状記憶材料２８の長さにより行われ、リアパネル部の上部２２Ｔに対してフロントパネル部の上部２４Ｔが引っ張られ、ポケットの口２６が閉じる。
2004516395.tif 000002
【特許請求の範囲】
【請求項１】
衣服、かばん部材、個人のアクセサリなどに組み込まれて好適なポケットであって、当該ポケットに物体が入ること、又は当該ポケットから物体が出ることを制限する制限手段を含み、この制限手段は、イネーブル信号が発生すると、該制限手段が制限行為を付与するように制御可能であるポケット。
【請求項２】
前記イネーブル信号が、ユーザの命令で生成される請求項１記載のポケット。
【請求項３】
前記イネーブル信号が、少なくとも１つのセンサの出力信号の状態に応じて生成される請求項１記載のポケット。
【請求項４】
前記センサは、当該ポケットの方向に依存して出力信号を生成するように配された方向センサであり、前記出力信号は、当該ポケットが該ポケット内に置かれた物体が落ちる可能性のある方向を選択すると、前記イネーブル信号の生成を開始する請求項３記載のポケット。
【請求項５】
前記センサが、ポケットにより経験される加速に依存して出力信号を生成するように配された加速度計であり、ポケットが揺れ動いていることを示すと、前記センサの出力信号が前記イネーブル信号の生成を開始する請求項３又は４記載のポケット。
【請求項６】
当該ポケットは、内部のポケットスペースと通じており、閉じることが可能なアクセス口を備えており、前記制限手段は、前記イネーブル信号が発生すると、前記アクセス口を閉じるように働きかける役割を果たす請求項１ないし５のいずれか１項に記載のポケット。
【請求項７】
当該ポケットは、内部のポケットスペースの境界を定める少なくとも１つの内壁部を含み、前記制限手段は、内部のポケットスペースの体積を減少させ、この内部のポケットスペースを占有する任意の物体をとめるように、前記イネーブル信号が発生すると、前記少なくとも１つの内壁部に働きかける役割を果たす請求項１ないし６のいずれか１項に記載のポケット。
【請求項８】
当該ポケットは、各々内部のポケットスペースの境界を定める少なくとも２つの対向するパネル部を含み、前記制限手段は、前記イネーブル信号が発生すると、前記内部のポケットスペースを占有する任意の物体をとめるように、前記パネル部の他のものに向けて前記パネル部の少なくとも１つに働きかける役割を果たす請求項１ないし６のいずれか１項に記載のポケット。
【請求項９】
前記制限手段は、前記少なくとも１つの内壁部又は前記パネル部の少なくとも１つに、前記閉じることが可能なアクセス口の縁部に配され、前記イネーブル信号が発生すると、形状変化するアクチュエータ部品を含む請求項６ないし８のいずれか１項に記載のポケット。
【請求項１０】
前記アクチュエータ部品が、転移温度よりも低い第１の温度から転移温度よりも高い第２の温度に温度が上昇すると所定の寸法に戻るニッケル−チタン合金の部分よりなる請求項９記載のポケット。
【請求項１１】
前記温度の上昇が、前記ニッケル−チタン合金を通る電流を流すことにより、ジュール熱のメカニズムを経て得られる請求項１０記載のポケット。
【請求項１２】
前記アクチュエータ部品が、バイメタル板を含む請求項９記載のポケット。
【請求項１３】
前記イネーブル信号が停止すると、前記制限行為が終了する請求項１ないし１２のいずれか１項に記載のポケット。
【請求項１４】
請求項１ないし１３のいずれか１項に記載の制限手段。
【請求項１５】
請求項１ないし１３のいずれか１項に記載のポケットを有する衣服、かばん部材、個人のアクセサリ又は備品。
【発明の詳細な説明】
【０００１】
【発明の属する技術分野】
本発明は、衣服、かばん部材、個人のアクセサリなどに組み込まれて好適なポケットに係り、特に、ポケット内に保持された任意の物が故意ではなく落ちることを防止するように意図されたポケットに関する。
【０００２】
【従来の技術】
ポケットに物を入れることにより持ち主がそれを方々に運ぶことができるように衣服にポケットを設けることは、一般的である。しかしながら、ユーザが動くために、物が意図せずにポケットから出たり、落ちたりする可能性がある。これは、特に、人が走り始め、ポケットに揺れる動きを与えるときに起こるように思われる。人がかがみ、ポケットが物体を収容するのに不適当な向きにされると、物体は落ちる。後者の場合、シャツのポケットは、特にこの問題の影響を受けやすい。どうひいき目にみても、ポケットからものが落ちることは不都合である。しかしながら、物が価値のあるものである場合、その物の結果として生じる損失、又は物がポケットから落ちることによって物に生じる損傷は、より深刻な問題である。この問題に対処するためのある既知の試みは、ポケットの口を閉じるためのジッパ又はボタンのような留め具（ｆａｓｔｅｎｉｎｇ ｄｅｖｉｃｅ）と孔機構（ｈｏｌｅ ａｒｒａｎｇｅｍｅｎｔ）とを含むものである。このようなデバイスを設けることは利益的であるが、衣服の見た目にとって好ましくない場合もある。また、上述したような留め具は、人が、忘れずにポケットの口を閉めて能動的に留めることを必要とする。人がこれを行うことを忘れると、物は相変わらずポケットから落ちてしまう。他の問題は、人が実際に忘れずにデバイスを留めた場合、ポケットの内部にアクセスし、ポケットの中の物を取り出すためにデバイスを能動的に外さなければならないことである。ポケットに頻繁にアクセスすることが必要である場合、ポケットの口を留めることと外すこととの繰り返し作業が不便になり、ユーザに定期的にポケットを止める気をなくさせる可能性がある。
【０００３】
【発明が解決しようとする課題】
本発明の目的は、中に保持された物体が故意にではなく落ちたり、偶然に出てしまったりする可能性を低くすることができる、改善されたポケットを提供することにある。
【０００４】
【課題を解決するための手段】
本発明の第１の観点によれば、衣服、かばん部材、個人のアクセサリなどに組み込まれて好適なポケットであって、当該ポケットに物体が入ること、又は当該ポケットから物体が出ることを制限する制限手段を含み、この制限手段は、イネーブル信号が発生すると、該制限手段が制限行為を付与するように制御可能であるポケットが提供される。上記制限手段は、イネーブル信号に応答する機械的な手段の形で設けられ得る。
【０００５】
従って、イネーブル信号が発生すると、上記制御手段は、ポケットに物が入ること又はポケットから物が出ることを制限するように活性化される。このような制限は、ポケットに部分的に又は完全に保持された物体が故意にではなく落ちたり、偶然に出てしまう可能性を低減する役割を果たす。
【０００６】
上記イネーブル信号は、ユーザの命令で生成され得る。これは、ユーザが制限手段を自在に活性化させることを可能にし、典型的には、物がポケットから出てしまう可能性のある状況を引き起こすタイプの行動をまさに開始しようとしていることにユーザが気付いている場合に行われる。ユーザは、他の理由のために制限手段を活性化させるように選択することが可能であり、例えば、ユーザが、ポケットからの物体の許可されていない除去（ｒｅｍｏｖａｌ）の可能性がかなり高い環境にあることに気付いた場合に選択することが可能である。
【０００７】
上記イネーブル信号は、少なくとも１つのセンサの出力信号の状態に応じて生成され得る。上記センサは、ポケットの方向に依存して出力信号を生成するように配された方向センサであってもよく、その場合、出力信号は、ポケットがポケット内に置かれた物体が落ちる可能性のある方向にあるときにイネーブル信号の生成を開始する。
【０００８】
この構成を特徴とするポケットは、特に、シャツのポケットの形において用いて好適である。シャツを着ているある人が地面の方向に体を曲げる場合、ポケットの口は、ポケットの底部よりも地面に近い位置になる可能性があり、これは、重力の影響を受けて、ポケットに保持された任意の物体をポケットの口から落とす。しかしながら、本発明の構成では、本発明によるポケットの付いたシャツを着ている人が地面の方向に体を曲げると、上記方向センサが、ポケットの口がまさにポケットの底部よりも地面に近くに位置しようとしており、イネーブル信号の生成を開始するために出力信号を生成することを確立し、上記制限手段の活性化を引き起こす。上記方向センサは、ポケット内に置かれた物体が落ちる可能性があるときにはいつでもイネーブル信号の生成を開始することが好ましく、実際には、ポケットの口がポケットの底部よりも地面に近い場合に加えて、例えば、ポケットの底部とポケットの口とが地面から概して同じ距離にある場合、又は、ポケットの口がポケットの底部よりも地面から遠くにあるが、かなり小さな量しか遠くにない場合の方向を含む場合も開始することが好ましい。
【０００９】
上記センサは、ポケットにより経験される加速度に依存して出力信号を生成するように配された加速度計であってもよく、その場合、出力信号は、ポケットが揺れる動きを経験していることを示すと、イネーブル信号の生成を開始する。このような動きは、走っている人によりポケットが着用されている場合に経験され得る。この場合には、上記制限手段の活性化は、ポケット内に保持されている物が出てしまうことを防止することを助ける。
【００１０】
本発明の他の観点及び随意の特徴は、従属請求項において表示されており、参照することによって本明細書に組み込まれ、読む人はこれを参照にする。
【００１１】
本発明は添付の図面を参照して説明されるであろう。
【００１２】
【発明の実施の形態】
図１を参照すると、ポケットの機能部品は、第１のセンサ２と、第２のセンサ４と、ユーザ入力デバイス６と、コントローラ８と、アクチュエータ１０とを含んでいる。
【００１３】
第１のセンサ２は、ポケットの方向を確立するための方向センサである。この機能を果たすために、上記センサは、ポケット自体に取り付けられているか、又は、ポケットが衣服のような物に留められている場合には、ポケットの方向を確実に反映する上記物の一部に取り付けられ得る。
【００１４】
第２のセンサ４は、ポケットの加速度を測定するための加速度計である。この機能を果たすために、第２のセンサ４は、ポケット自体に取り付けられているか、又は、ポケットが衣服のような物に留められている場合には、ポケットにより経験される加速度を確実に反映する上記物の一部に取り付けられ得る。
【００１５】
ユーザ入力デバイス６は、ユーザにポケットの動作を制御する手段を提供する。これは、単純なスイッチ又はより複雑なデバイスであり得る。センサ２，４及びユーザ入力デバイス６からの出力信号は、コントローラ８に与えられる。上記コントローラ８に与えられる信号は、コントローラの出力９において、アクチュエータ１０に与えられるイネーブル信号が生成されるべきかどうかを決定するために、コントローラ８により用いられる。コントローラの出力９におけるイネーブル信号の存在は、アクチュエータ１０を動作させる。ポケット内にアクチュエータ１０を適切に組み込むことにより、アクチュエータ１０の動作は、以下により詳細に述べるように、ポケットからの任意の物体の除去を制限する又は妨げる構成を呈する当該ポケットをもたらす。
【００１６】
このような構成は、上述したような除去が手動で試みられるかどうかに関わらず、物体がポケットから落ちること、又は物体がポケットから出る（放り出される）ことも含んで、除去を制限する又は妨げることができる。このような構成はまた、ポケットに物体が入ることを制限し得る又は妨げ得る。
【００１７】
第１のセンサ（方向センサ）２が、ポケットは実質的にまっすぐに立っている（ｕｐｒｉｇｈｔ）、すなわち、ポケットの口がその底部よりも高いところに位置する方向にポケットが向いていると判断した場合、ポケット内部に置かれた物体は、重力により内部に保持され、落ちる傾向は有しない。ポケットがこの向きにある限り、センサ２からの出力信号は、コントローラ８が、コントローラの出力９においてイネーブル信号が生成されるようにせず、アクチュエータ１０は動作しない信号である。逆に、第１の方向センサ２が、ポケットは実質的にまっすぐ立ってはいない、すなわち、ポケットはその口がその底部よりも高いところに位置する方向に向いているが、ポケットが実質的にまっすぐに立っている場合よりも小さい量だけ高いところに位置すると判断するか、又は、ポケットの口がその底部と同じ高さ若しくは底部よりも低い高さに位置する方向にポケットが向いていると判断した場合、ポケットの内部に置かれた任意の物体は、より落ちやすい。ポケットがこれらの構成のいずれかである場合、センサ２からの出力信号は、コントローラ８がコントローラの出力９においてイネーブル信号を生成するようにする。その結果、これは、アクチュエータ１０の動作を引き起こし、ポケットに保持された任意の物体の除去を制限する又は妨げる構成を呈するポケットをもたらす。
【００１８】
ポケットが揺れる動きにより加速を経験していると、第２のセンサ（加速度計）４もまたそのような加速を経験し、そのような加速を表す出力信号を生成する。この信号は、コントローラ８に与えられる。この信号の受信に応じて、コントローラ８はコントローラの出力９においてイネーブル信号を生成する。その結果、これは、アクチュエータ１０の動作を引き起こす。このようなアクチュエータ１０の動作は、ポケット内に保持されている任意の物体の除去又は排出（ｅｊｅｃｔｉｏｎ）を制限する又は妨げる構成を呈するポケットをもたらす。
【００１９】
ユーザは、ユーザ入力デバイス６を操作し、アクチュエータ１０を動作させるためにコントローラの出力９においてイネーブル信号を生成するようにコントローラ８に命令することができる。これは、ポケットから物体が出ることを制限する又は妨げる行為がユーザの命令で生じ、ポケットが、該ポケットから物体が出ることを制限する又は妨げる構成を呈するようにする。
【００２０】
本発明のポケットの主な機能素子を説明したので、幾つかのポケットの構成例について説明する。
【００２１】
第１の実施態様では、図２に示されている単純なポケット構造体２０は、半剛体のリアパネル部２２と、可撓性のフロントパネル部２４とを含んでいる。これらリアパネル部２２とフロントパネル部２４とは、第１の側縁部２５ａ、第２の側縁部２５ｂ及び底縁部２５ｃに沿ってそれらの周辺において互いに接合されている。上記パネル部は、当業者によりよく理解されている接着剤による接着（ｇｌｕｉｎｇ）又は縫い合わせる（ｓｔｉｔｃｈｉｎｇ）等の任意の適切な技術によって接合され得る。しかしながら、上記リアパネル部の上縁部２２Ｔは、内部のポケットスペース２７へのアクセスを可能にするポケットの口２６を形成するために、フロントパネル部２４の上縁部２４Ｔに接合されていない。
【００２２】
アクチュエータ１０は、細長い部品として設けられた形状記憶材料２８の形態で設けられており、フロントパネル部２４の上縁部２４Ｔの近傍、すなわちポケットの口２６の付近において、第１の側縁部２５ａから第２の側縁部２５ｂまでフロントパネル部２４の横方向にわたって延在している。形状記憶材料２８は、第１の側縁部２５ａの領域の場所２９ａ及び第２の側縁部２５ｂの領域の場所２９ｂにおいてポケット２０に固定されている。固定場所２９ａと固定場所２９ｂとは、半剛体のリアパネル部２２の作用により互いに離間して保持されている。
【００２３】
本実施態様において用いられる形状記憶材料２８は、形状記憶材料の長さとして設けられている。このような材料の一例は、ニチノールとしても知られているニッケル−チタン合金であるが、このような形状記憶材料に関する他の既知の商品名は、Ｔｉｎｅｌ，Ｆｌｅｘｉｎｏｌ，Ｍｕｓｃｌｅ Ｗｉｒｅ，Ｓｍａｒｔ Ｗｉｒｅ，Ｄｙｎａｌｌｏｙ，ＮｉＴｉ及びＴｉＮｉを含んでいる。
【００２４】
ニッケル−チタン合金のような形状記憶材料の特性は、温度変化に伴って結晶構造における相変態をすることである。相変態が起こるあたりの温度は、合金の組成を制御することにより支配され得る。上記材料が、相変態が生じる温度範囲よりも高い温度である場合、その材料は所謂高温（オーステナイト）状態にある。この「高温」状態にある限り、上記材料は、応力が加えられると変形が起こることを可能にする。相変態が生じる温度範囲よりも低い温度である場合、上記材料は所謂低温（マルテンサイト）状態にある。この「低温」状態にある限りにおいても材料は変形され得るが、材料が高温状態にある場合よりも非常に容易に（すなわち、より少ない応力の付加で）変形され得る。また、応力が取り除かれると、材料は変形された構造のままであり、元の形状には戻らない。しかしながら、上記材料は、「高温」（オーステナイト）状態に加熱されると元の形状に戻り、このため、上記材料は「形状記憶」を持っていると言われている。オーステナイト相にある場合に材料を変形させるためには、マルテンサイト相にある場合に必要な応力よりも非常に大きな応力が必要とされるので、変形された材料を低温のマルテンサイト状態から高温のオーステナイト状態まで加熱することの効果は、材料が、元の形状を取り戻すことができ、かなりの力を扱うことが可能であることである。このような力は、第１の場所において低温相の材料を変形するために加えられた応力よりも大きいことが多く、変形を生じさせるために用いられる応力が存在しても材料は元の形状を取り戻すことができるという効果を有している。この挙動が、「Ｍｕｓｃｌｅ Ｗｉｒｅ」として知られるニッケル−チタン合金ワイヤをもたらしている。
【００２５】
形状記憶材料（この場合には、ニッケル−チタン合金ワイヤ２８の長さ）は、元の、実質的に変形していない状態において、材料が固定点２９ａと固定点２９ｂとの間のかなりまっすぐなラインのフロントパネル部２４の幅にわたって延在する長さであるように選択されている。一般に、ワイヤにはたるみはほぼ存在しない。ワイヤにより得られるこのようなまっすぐなラインは、フロントパネル部２４を押し、上縁部２４Ｔが半剛体のリアパネル部の上縁部２２Ｔに対して保持されるようにする効果を有しており、これは、ポケットの口２６が閉じられることを意味する。内部のポケットスペース２７にアクセスするために、上記フロントパネル部の上縁部２４Ｔは、ユーザによって緩められ、上記リアパネル部の上縁部２２Ｔから離れる。十分な力により上記フロントパネル部の上縁部を緩めるこのプロセスは、上記形状記憶材料が伸びる（すなわち、変形する）ようにする。形状記憶材料は、低温（マルテンサイト）状態にある限り、過大な力を加えることなく伸びた状態に変形されることが可能であり、後に応力が実質的に取り除かれた場合であっても材料は伸びたままである。ポケットは、ポケットの口２６を見せる「開いた」構成であり、通常の方法で物が入れられたり、取り出され得る。
【００２６】
コントローラ８が出力９においてイネーブル信号を生成すると仮定する。これは、ユーザ入力デバイス６を操作するユーザの行為のためであるか、センサ２から受け取られる信号が、ポケットはポケットから物が落ちそうな方向をまさに呈しようとしていること若しくはそのような方向を既に呈していることを示すためであるか、又は、センサ４から受け取られる信号が、ポケットはポケットから物が排出され得るタイプの加速を経験していることを示すためである。イネーブル信号９は、アクチュエータ１０、この例では形状記憶材料２８に与えられ、高温（オーステナイト）状態に達するように形状記憶材料２８の加熱を引き起こす。この相に転移するときに、材料はもとの形状を取り戻し、これは、ニッケル−チタンワイヤ２８が固定点２９ａと固定点２９ｂとの間においてまっすぐなラインを呈するように収縮することを意味すると共に、このプロセスでは、内部のポケットスペースから物体が出ること（又は、ポケットスペースに物体が入ること）を制限する又は妨げるようにポケットの口２６を閉じるように働きかけるために、リアパネル部の上部２２Ｔに対してフロントパネル部の上部２４Ｔを引く。形状記憶材料は、当業者には明らかである外部の熱源、誘導加熱装置又は任意の適切な方法を用いることによって加熱され得る。しかしながら、本構成では、形状記憶材料はニッケル−チタン合金ワイヤ２８自体を通る電流を流し、周知のジュール熱のメカニズムにより熱を生成することにより加熱される。
【００２７】
イネーブル信号９が取り除かれると、上記形状記憶材料は低温状態に冷却され、内部のポケット空間２７へのアクセスを可能にするため、応力を加えることによって再度伸ばされ得る。
【００２８】
形状記憶材料２８は、形状記憶材料が通るパイプ（ｃｏｎｄｕｉｔ），チャネル又は複数のループをパネル部２４に設けることにより、固定点２９ａと固定点２９ｂとの間においてフロントパネル部２４に取り付けられ得る。アクチュエータ１０は、必要な特徴的な挙動及び強度と共に、より線（ｓｔｒａｎｄ）の断線に備えた過剰な部分（ｒｅｄｕｎｄａｎｃｙ）さえも与えるために、１つ又は複数の部品の形態で、例えば単一のより線又はワイヤの束として設けられ得る。
【００２９】
ポケットの口付近の上記パネル部の上縁部２４Ｔに形状記憶材料２８を設けることに加えて、又はそれに代えて、物２８´により示されているように、形状記憶材料は第１及び第２の側縁部２５ａ，２５ｂ間のポケットの他の領域の横方向にわたって延在するように配されてもよい。図示されているように、追加の形状記憶材料素子２８´は、形状記憶材料２８と平行に配されるが、フロントパネル部２４をまたぐようにポケットのより下部に、ポケットの口２６から離れて配される。これらの部品２８´は、形状記憶材料２８と同様に動作するが、ポケットの口２６自体を閉じない。しかしながら、このような部品は、更に、ポケット２０内において幾らかの物を保持する役割を果たす制限行為を与えることができることがよく理解されるであろう。
【００３０】
意図的ではない動作を避けるために、形状記憶材料は、ポケットが用いられると予想される任意の周囲の温度が材料の低温（マルテンサイト）範囲内であるような組成であることが好ましい。転移温度は、ポケット、ポケットが取り付けられる物へのダメージを避けるように、又はユーザに不快感を引き起こすことを避けるように、形状記憶材料が過度に断熱される必要があるほど高くないことも好ましい。ある具体例では、マルテンサイト状態とオーステナイト状態との間の転移温度は、７０℃であったが、６０℃により近い温度も適切である。
【００３１】
図３に示されている第２の実施態様は、第１の実施態様と同様であるが、半剛体であることが必要なリアパネル部２２を必要とすることなく機能する。この構成では、形状記憶材料３８は、ポケット領域を超えた場所３９ａ，３９ｂにおいて、ポケット自体ではなく、衣服又はポケットを支持する物に固定されている。固定点３９ａと固定点３９ｂとは、衣服又は物の構造により離間して保持されている。形状記憶材料３８は、形状記憶材料２８と同様であり、この例では、上述したように動作する。この場合も、元の形状を取り戻すための形状記憶材料の制限は、ポケットの口を閉じることをもたらす。上記形状記憶材料は、形状記憶材料が通るパイプ、チャネル又は複数のループをポケットのフロントパネル部３４に設けることにより、該フロントパネル部３４に取り付けられ得る。形状記憶材料の他の例は、ポケットの他の部分に含まれ得る。
【００３２】
第３の実施態様は、図４に示されているが、ここでは形状記憶材料４８はループとして形成されている。形状記憶材料４８は、形状記憶材料２８，３８と同じタイプのものであり、従って、上述した様式と同様に動作する。この形状記憶材料は、形状記憶材料が通るパイプ、チャネル又は複数のループをポケットに設けることにより、フロントパネル部４４に取り付けられ得る。しかしながら、形状記憶材料がループとして形成されているので、形状記憶材料は衣服の内部の、同じくループを形成する通路に配され得る。例えば、ポケットが、一般に環状の断面を有する衣服の腕部分に配されている場合、上記ループは、ジャケットを着る際に人の腕のまわりを移動させるために腕部のまわりを回るように配され得る。ポケットが活性化すると、収縮行為がユーザの腕の方にポケットのフロントパネル部４４を引っ張り、従って、制限行為を引き起こす。リングを強化することは、形状記憶材料４８のループの制限行為がリングを強化することによって担われるように、上記腕部において与えられ、腕部のまわりを回り得る。その結果、着用者の腕に不快な制限行為を与えることが避けられる。
【００３３】
形状記憶合金よりなるアクチュエータに関して本発明を説明したが、ポケットの口を閉じることが可能なアクチュエータの提供に関して、又はポケット内の任意の物を確保するための制限行為の提供に関して、他の技法も用いられ得る。このような可能性は、イネーブル信号が発生すると、又は、ポケットの一部に固定され、本発明のポケットにより必要とされるようなアクチュエータとして振舞うことが可能な電磁気デバイス若しくは他のデバイスが使用されると形状が変化するバイメタル板を含んでいる。
【００３４】
上記形状記憶材料は、必要な動作特性を有するアクチュエータをもたらすように、織られ、編まれ又はより合わされていてもよい。実際に、このような技法は、生地材料のようなポケット又はポケットが組み込まれる物の一部である構成要素にアクチュエータを統合するために用いられることも可能である。
【００３５】
また、単にフロントパネル部及びリアパネル部を有するような非常に単純なポケットの構成について説明し、図示したが、これは、理解しやすいようにする目的のためである。実際には、ポケットは、当業者にはよく理解されるように、一般的に、１つ又はそれ以上の層、及び異なる形状、方向又は構成の構成要素部品よりなる各パネルを有して異なる形をとり得る。衣服、個人のかばん（ｌｕｇｇａｇｅ）、又はポケットが付けられる他の物よりなる構成要素によって、ポケットの１つ又はそれ以上の部分が設けられ得る。上記ポケットのフロントパネル部は、制限手段の作用を受けるものとして説明されたが、限定的に解釈されるべきではなく、他のポケットのデザインもまた、本発明の範囲内において、ポケットの他の構成要素に作用するように、制限手段を用いることが可能である。コントローラ入力信号の３つの例示的なソースが説明されたが、必ずしも全てが必要というわけではない。コントローラは、論理デバイス又はマイクロプロセッサであり得る。本発明の種々の構成要素は、実際に、他のデバイス、特に、装着型電子装置及び／又は装着型コンピュータ装置の形のデバイスの一部として組み込まれ得る。
【００３６】
この開示を読むことから、当業者には他の変更が明らかであろう。このような変更は、システム、デバイス、アクチュエータ、衣類及び備品（ｆｕｒｎｉｓｈｉｎｇ）並びにそれらの構成要素のデザイン、製造及び使用において既に知られている他の特徴を含み得る。また、このような変更は、本明細書において既に説明した特徴に代えて、又は既に説明した特徴に加えて用いられ得る。
【図面の簡単な説明】
【図１】本発明に係るポケットの機能部品の模式図である。
【図２】本発明に係るポケットの構成の第１の実施態様を示す図である。
【図３】本発明に係るポケットの構成の第２の実施態様を示す図である。
【図４】本発明に係るポケットの構成の第３の実施態様を示す図である。
【国際公開パンフレット】
2004516395.tif 000003
2004516395.tif 000004
2004516395.tif 000005
2004516395.tif 000006
2004516395.tif 000007
2004516395.tif 000008
2004516395.tif 000009
2004516395.tif 000010
2004516395.tif 000011
2004516395.tif 000012
2004516395.tif 000013
2004516395.tif 000014
2004516395.tif 000015
2004516395.tif 000016
2004516395.tif 000017
2004516395.tif 000018
2004516395.tif 000019
2004516395.tif 000020
【国際調査報告】
2004516395.tif 000021
2004516395.tif 000022
2004516395.tif 000023